(57)【要約】【課題】何らかの理由で屋内に閉じ込められた人が、落ち着いて簡単な自力操作で、屋外に脱出可能で、部品点数は少なく、構造が簡単で経済性に優れ、強い力を要することなく、また単純な操作でカム付施錠装置を解錠し、迅速に屋外に脱出可能なカム付施錠装置における非常時脱出機能付解放機構を提供することである。【解決手段】カム付施錠装置ＬＣは、カム板の屋内側に取り付けた牽引手段によって作動する非常時脱出機能付解放機構を備え、非常時脱出機能付解放機構１００は、カム板１０、摺動体２０、カム板取付板３０、弾性部材４０及び牽引手段５０を主な構成部材としている。【選択図】図２
0003175620.tif 000002
【実用新案登録請求の範囲】
【請求項１】
キーの回動によって施錠、解錠する、もしくはキーの回動後に
ハンドル操作によりカムが作動する施錠装置において、
前記カム板の屋内側に取り付けた牽引手段によって作動する非常時脱出機能付解放機構を備えている、
ことを特徴としたカム付施錠装置における非常時脱出機能付解放機構。
【請求項２】
前記非常時脱出機能付解放機構は、
一端部に透孔を設け、屋内側に筒体と屋外側にはガイドピンが立設されたカム板と、
前記筒体内に挿入され、該筒体内で前後に移動可能に嵌装された摺動体と、
基端部に角孔を設け、該角孔と反対側外周縁の上方に嵌合孔を設けると共に、前記ガイドピンのガイド溝が形成されたカム板取付板と、
前記筒体内に装着された弾性部材と、
前記摺動体の突出部に取り付けられた前記牽引手段と、から構成された、
ことを特徴とする請求項１に記載のカム付施錠装置における非常時脱出機能付解放機構。
【請求項３】
前記摺動体の先端部は前記カム板取付板の嵌合孔に嵌合する直径と長さとされている、
ことを特徴とする請求項２に記載のカム付施錠装置における非常時脱出機能付解放機構。
【請求項４】
前記摺動体が先端部近傍にフランジを設けたプランジャーである、
ことを特徴とする請求項２又は請求項３に記載のカム付施錠装置における非常時脱出機能付解放機構。
【請求項５】
前記牽引手段が前記摺動体の突出部に取り付けられたリングである、
ことを特徴とする請求項１〜請求項４の何れかに記載のカム付施錠装置における非常時脱出機能付解放機構。
【考案の詳細な説明】
【技術分野】
【０００１】  本考案は、カム付施錠装置における非常時脱出機能付解放機構に係り、より詳しくは、例えば、物置内等に作業者が在室していることを気づかずに他の作業者が施錠した時、屋内に閉じ込められた作業者が、何らの工具類を使用することなく、カム付施錠装置に装着された非常脱出機能付解放機構を自力で操作して解錠し、簡単に屋外に脱出可能な、カム付施錠装置における非常時脱出機能付解放機構に関する。
【背景技術】
【０００２】  物置又は大型保冷庫等の施錠・解錠にカム付施錠装置を使用することがある。カム付施錠装置を施錠するに際し、例えば同僚が屋内に他の作業者がいるのを気付かずに施錠したり、又は何らかの理由で扉が閉じられて施錠され、作業者が屋内に閉じ込められることがある。このような非常時にあって、救難を要請する電話等の連絡手段が屋内にないとき、閉じ込められた作業者は、呼吸困難、あるいは凍傷等に罹ったり、精神錯乱状態（パニック）等に陥るという、最悪の事態も発生している。【０００３】  これらの誤認施錠事故を防止するため、あるいは非常時解放装置等について、多数の提案がなされている。例えば、特許文献１（第１頁、図１参照）の「戸構造の内部非常脱出機能付解放機構」、特許文献２（第１頁、図１参照）の「スライド扉の非常解放装置」、特許文献３（第１頁、図１参照）の「保冷装置の扉用ロック装置」、特許文献４（第１頁、図１参照）の「扉装置」、特許文献５（第１頁、図１参照）の「扉開閉用ハンドルの掛金装置」及び特許文献６（第１頁、図１参照）の「扉用ロックハンドル装置」等々である。
【先行技術文献】
【特許文献】
【０００４】
【特許文献１】特開２００４−２３８７９９号公報
【特許文献２】特開２００３−０９７１１９号公報
【特許文献３】特開２００２−０２１３９２号公報
【特許文献４】特開２０００−０５４７０４号公報
【特許文献５】特開平０９−２８７３３４号公報
【特許文献６】特開平０９−６０３５８号公報
【考案の概要】
【考案が解決しようとする課題】
【０００５】  しかし、上記の先行技術文献に開示された従来技術は、いずれも部品点数が多く、かつ構造が複雑であるという問題点がある。本考案は、上記の問題点に鑑み、扉、家具類又は事務機器等に使用されるカム付施錠装置に着目して本考案を完成したものである。
本考案における第１の課題は、何らかの理由で屋内に閉じ込められた人が、パニック状態になることなく、落ち着いて簡単な自力操作で、屋外に脱出可能なカム付施錠装置における非常時脱出機能付解放機構を提供することである。
第２の課題は、部品点数を少なく、構造を簡単にして製作コストを低廉とすると共に、取付工事も短時間かつ容易である、経済性に優れた、カム付施錠装置における非常時脱出機能付解放機構を提供することにある。
第３の課題は、強い力を要することなく、また単純な操作でカム付施錠装置を解錠し、迅速に屋外に脱出可能なカム付施錠装置における非常時脱出機能付解放機構を提供することである。
【課題を解決するための手段】
【０００６】  課題を解決するための手段は、本願、実用新案登録請求の範囲の各請求項に記載の考案であり、その具体的な解決手段は、以下の通りである。【０００７】  課題を解決するための第１の考案は、請求項１に記載の考案であり、
キーの回動によって施錠、解錠する、もしくはキーの回動後にハンドル操作によりカムが作動する施錠装置において、前記カム板の屋内側に取り付けた牽引手段によって作動する非常時脱出機能付解放機構を備えている、ことを特徴としている。【０００８】  課題を解決するための第２の考案は、請求項２に記載の考案であり、請求項１に記載のカム付施錠装置における非常時脱出機能付解放機構にあって、前記非常時脱出機能付解放機構は、一端部に透孔を設け、屋内側に筒体と屋外側にはガイドピンが立設されたカム板と、前記筒体内に挿入され、該筒体内で前後に移動可能に嵌装された摺動体と、基端部に角孔を設け、該角孔と反対側外周縁の上方に嵌合孔を設けると共に、前記ガイドピンのガイド溝が形成されたカム板取付板と、前記筒体内に装着された弾性部材と、前記摺動体の突出部に取り付けられた前記牽引手段とから構成された、ことを特徴としている。【０００９】  課題を解決するための第３の考案は、請求項３に記載の考案であり、請求項２に記載のカム付施錠装置における非常時脱出機能付解放機構にあって、前記摺動体の先端部は前記カム板取付板の嵌合孔に嵌合する直径と長さとされている、ことを特徴としている。【００１０】  課題を解決するための第４の考案は、請求項４に記載の考案であり、請求項２又は請求項３に記載のカム付施錠装置における非常時脱出機能付解放機構にあって、前記摺動体が先端部近傍にフランジを設けたプランジャーである、ことを特徴としている。【００１１】  課題を解決するための第５の考案は、請求項５に記載の考案であり、請求項１〜請求項４の何れかに記載のカム付施錠装置における非常時脱出機能付解放機構にあって、前記牽引手段が前記摺動体の突出部に取り付けられたリングである、ことを特徴としている。
【考案の効果】
【００１２】  本考案に係る、カム付施錠装置における非常時脱出機能付解放機構は、上記のような特徴的構成要件から構成され、特徴的構成要件に応じた、以下のような本考案特有の効果を奏する。また、上記のような特徴的構成要件から構成されたカム付施錠装置における非常時脱出機能付解放機構によれば、本願考案の課題を十分に解決することができた。即ち、第１の考案によれば、「キーの回動によって施錠、解錠する、もしくはキーの回動後にハンドル操作によりカムが作動する施錠装置において、前記カム板の屋内側に取り付けた牽引手段によって作動する非常脱出機能付解放機構を備えている」という特徴的構成要件により、何らかの理由で屋内に閉じ込められた人が、パニック状態になることなく、落ち着いて簡単な自力操作で、屋外に脱出することが可能となった。即ち屋内に閉じ込められた人が、施錠された扉の屋内側から非常脱出機能付解放機構に取り付けられた牽引手段を用いれば、カム板を解放方向に移動して解錠される。【００１３】  第２の考案によれば、「前記非常脱出機能付解放機構は、一端部に透孔を設け、屋内側に筒体と屋外側にはガイドピンが立設されたカム板と、前記筒体内に挿入され、該筒体内で前後に移動可能に嵌装された摺動体と、基端部に角孔を設け、該角孔と反対側外周縁の上方に嵌合孔を設けると共に、前記ガイドピンのガイド溝が形成されたカム板取付板と、前記筒体内に装着された弾性部材と、前記摺動体の突出部に取り付けられた前記牽引手段とから構成された」という特徴的構成要件により、部品点数を少なく、構造を簡単にして製作コストを低廉とすると共に、取付工事も短時間かつ容易である、経済性に優れた、カム付施錠装置における非常時脱出機能付解放機構を提供するという効果を奏することができた。【００１４】  第３の考案によれば、「前記摺動体の先端部は前記カム板取付板の嵌合孔に嵌合する直径と長さとされている」という特徴的構成要件により、また、第４の考案によれば、「前記摺動体が先端部近傍にフランジを設けたプランジャーである」という特徴的構成要件により、また、第５の考案によれば、「前記牽引手段が前記摺動体の突出部に取り付けられたリングである」という特徴的構成要件により、強い力を要することなく、また単純な操作でカム付施錠装置を解錠し、迅速に屋外に脱出することが可能となった。
【図面の簡単な説明】
【００１５】
【図１】は、本考案に係る、カム付施錠装置における非常時脱出機能付解放機構の使用状態における屋外側からみた正面図である。
【図２】は、同、カム付施錠装置における非常時脱出機能付解放機構を構成する部材を分解して示す分解斜視図である。
【図３】は、同、カム付施錠装置における非常時脱出機能付解放機構を施錠時の屋内側からみた正面図である。
【図４】は、同、カム付施錠装置における非常時脱出機能付解放機構を解錠時の屋外側からみた正面図である。
【図５】は、同、カム付施錠装置における非常時脱出機能付解放機構を解錠時の側面図である。
【考案を実施するための形態】
【００１６】  図１は、本考案に係る、カム付施錠装置における非常時脱出機能付解放機構（以下、カム付施錠装置ＬＣという）の使用状態を示している。Ｄは扉、ＤＦは扉枠、Ｒは受具、Ｎはドアノブである。図２は、カム付施錠装置ＬＣを構成する部材を分解して示している。Ｓはシリンダー錠で、その外筒先端部Ｓ１にカム板１０が装着され、通常は、キーＫをシリンダー錠Ｓのキー孔Ｓ２に挿入し、回動すれば、カム板１０が９０°回動して施錠・解錠が行われる。カム板１０の屋内側には牽引手段５０が取り付けられている。非常時脱出機能付解放機構１００は、カム板１０、摺動体２０、カム板取付板３０、弾性部材４０及び牽引手段５０を主な構成部材としている。カム板１０は、一端部に座板Ｗと固定ボルトＢを装着するための透孔１１を設け、該透孔１１の屋内側における長手方向中心線上に筒体１２と該筒体１２の屋外側近傍にはガイドピン１３とが立設されている。摺動体２０の前方部２１は、筒体１２内に挿入され、後方部２２は筒体１２の開口部１２ａを介して外部に突出すると共に、筒体１２内で前後に移動可能に嵌装されている。カム板取付板３０は、基端部にカム板１０の透孔１１に連通する角孔３１を設け、円弧状外周縁３２の上方には施錠・解錠するための摺動体２０の先端部２１ａが出入する嵌合孔３３を設けると共に該嵌合孔３３の内側にガイドピン１３を係合し、上下にスライドさせる円弧状のガイド溝３４が形成されている。弾性部材４０は、筒体１２内に装着され、摺動体２０をカム板取付板３０方向に付勢するもので、例えば、コイルスプリングが好適である。２１ｂはフランジで、弾性部材４０の端部を係止する。牽引手段５０は、摺動体２０の突出部２３に取り付けられ、摺動体２０の先端部２１ａをカム板取付板３０の嵌合孔３３から屋内側に引き出すためのもので、例えば、図示する金属製リングが好適である。なお、摺動体２０の先端部２１ａは、カム板取付板３０の嵌合孔３３に嵌合する直径と長さとされており、また摺動体２０は、先端部２１ａ近傍にフランジ２１ｂを設けたプランジャーとすることができる。
【００１７】  次に図２〜図５を参照し、カム付施錠装置ＬＣの組立作業について説明する。先ずカム板１０の屋外側に設けられた開口部１２ｂから弾性部材４０（コイルスプリング）及び摺動体２０（プランジャー）を筒体１２内に挿入し、後方部２２を筒体１２の開口部１２ａを介して外部に突出させ、その突出部２３に牽引手段５０（金属製リング）を取り付け、また前方部２１の先端部２１ａは、嵌合孔３３に嵌合させると共にガイドピン１３をガイド溝３４に係合させる。次に座板Ｗを透孔１１に嵌合して角孔３１と連通させ、固定ボルトＢによってシリンダー錠Ｓと一体的に固定してカム付施錠装置ＬＣの組立作業は終了する。
【００１８】  図３は、カム付施錠装置ＬＣを施錠した時の屋内側からみた状態を示している。カム板１０は、固定ボルトＢを基点として水平状態となっている。このとき摺動体２０（プランジャー）の先端部２１ａは、弾性部材４０（コイルスプリング）の付勢力によって嵌合孔３３に押し付けられるように嵌合し、ガイドピン１３は、ガイド溝３４の最上部３４ａに係合して施錠されている。
【００１９】  図４は、カム付施錠装置ＬＣを解錠した時の屋外側からみた状態を示している。非常時、即ち屋内に人がいるにもかかわらず、何らかの理由で扉Ｄが施錠されたとき、屋内に閉じ込められた人が、牽引手段５０（金属製リング）を手前側に引き寄せると、摺動体２０（プランジャー）の先端部２１ａは、弾性部材４０（コイルスプリング）の付勢力に抗して嵌合孔３３から離脱すると共に、カム板１０を解放方向に移動して解錠される。
本考案は上記のように、部品点数も少なく、簡単な構造であり、何らかの理由で屋内に閉じ込められた人が、パニック状態になることなく、落ち着いて簡単な自力操作で、屋外に脱出することが可能となった。
【００２０】  以上、本考案に係るカム付施錠装置ＬＣについて、その実施形態に基づいて説明したが、本考案は、上記の実施形態に記載した構成に限定されるものではなく、その趣旨を逸脱しない範囲において適宜その構成を変更することが可能であることは自明である。
【産業上の利用分野】
【００２１】  本考案に係る、カム付施錠装置ＬＣは、物置又は大型保冷庫の他、倉庫、体育館等の更衣室、大型貨物車両、船舶、飛行機等々の施錠・解錠に好適に使用することができる。
【符号の説明】
【００２２】ＬＣ・・・カム付施錠装置における非常時脱出機能付解放機構、Ｓ・・・シリンダー錠、Ｋ・・・キー、Ｗ・・・座板、Ｂ・・・固定ボルト、１００・・・非常時脱出機能付解放機構、１０・・・カム板、１１・・・透孔、１２・・・筒体、１２ａ・・・開口部、１３・・・ガイドピン、２０・・・摺動体、２１・・・前方部、２１ａ・・・先端部、２１ｂ・・・フランジ、２２・・・後方部、２３・・・突出部、３０・・・カム板取付板、３１・・・角孔、３２・・・外周縁、３３・・・嵌合孔、３４・・・ガイド溝、４０・・・弾性部材、５０・・・牽引手段
【図１】
0003175620.tif 000003
【図２】
0003175620.tif 000004
【図３】
0003175620.tif 000005
【図４】
0003175620.tif 000006
【図５】
0003175620.tif 000007